(57)【要約】【課題】  正の周波数領域及び負の周波数領域において互いに異なるデータを載せて伝送し、これについて時間領域において拡張する伝送方式を適用したＴＦＩ−ＯＦＤＭ伝送システム及びその伝送方法と対応する受信システム及びその受信方法を提供する。【解決手段】  超広帯域通信のためのＴＦＩ−ＯＦＤＭ伝送システムは、伝送速度モードに対応する速度を有するデータを発生するデータ発生部と、データをコンボリューショナルエンコーディングするエンコーダ３２１と、エンコードされたデータをビットインタリービングするインタリーバ３３１と、正の周波数領域において第１データ群を入力し、負の周波数領域において第２データ群を入力してその後ＩＦＦＴ変換してＯＦＤＭシンボルで出力するＯＦＤＭ変調部３５１と、ＯＦＤＭシンボルを時間領域で順次に少なくとも２回以上繰返して伝送するためにＯＦＤＭシンボルを一時保存するためのバッファ３８１、及び伝送チャネルに対応する所定の個数の周波数帯域においてＯＦＤＭシンボルを伝送するために所定の周波数を発生する周波数発生部３９１を有する。【選択図】      図３Ｂ
2005039828.tif 000002
【特許請求の範囲】
【請求項１】
超広帯域通信のためのＴＦＩ−ＯＦＤＭ（Ｔｉｍｅ  Ｆｒｅｑｕｅｎｃｙ  Ｉｎｔｅｒｌｅａｖｅｄ  Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）伝送システムにおいて、
伝送速度モードに対応する速度を有するデータを発生するデータ発生部、
前記データをコンボリューショナルエンコーディング（Ｃｏｎｖｏｌｕｔｉｏｎａｌ  Ｅｎｃｏｄｉｎｇ）するコンボリューショナルエンコーダ、
エンコーディングされた前記データをビットインタリービングするインタリーバ、
正の周波数領域において第１データ群を入力し負の周波数領域において第２データ群を入力してＩＦＦＴ変換（Ｉｎｖｅｒｔ  Ｆａｓｔ  Ｆｏｕｒｉｅｒ  Ｔｒａｎｓｆｏｒｍ：高速フーリエ逆変換）してＯＦＤＭシンボル（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ｓｙｍｂｏｌ）で出力するＯＦＤＭ変調部、
前記ＯＦＤＭシンボルを時間領域において順次に少なくとも２回以上繰返して伝送するために前記ＯＦＤＭシンボルを一時保存するためのバッファ、
及び、伝送チャネルに対応する所定の個数の周波数帯域において前記ＯＦＤＭシンボルを伝送するために所定の周波数を発生する周波数発生部、
を含むことを特徴とするＴＦＩ−ＯＦＤＭ伝送システム。
【請求項２】
前記コンボリューショナルエンコーダは、１／３コーディングレート（Ｃｏｄｉｎｇ  Ｒａｔｅ）を有し、これにより第１、第２及び第３周波数発生部からエンコーディングされた第１データ群、第２データ群、及び第３データ群をそれぞれ出力し、
前記インタリーバは、前記第１データ群、前記第２データ群、及び前記第３データ群に対してそれぞれトーンインタリービング（Ｔｏｎｅ−Ｉｎｔｅｒｌｅａｖｉｎｇ）することを特徴とする請求項１に記載のＴＦＩ−ＯＦＤＭ伝送システム。
【請求項３】
前記伝送速度モードは、１１０Ｍｂｐｓモード及び２００Ｍｂｐｓモードのうちいずれか１つであることを特徴とする請求項１に記載のＴＦＩ−ＯＦＤＭ伝送システム。
【請求項４】
前記伝送速度モードが５５Ｍｂｐｓモードである場合、前記ＯＦＤＭ変調部は、
前記正の周波数領域の１／２に第１データ群を入力し、残りの１／２に前記第１データ群を複製して入力し、前記負の周波数領域の１／２に第２データ群を入力し、残りの１／２に前記第２データ群を複製し入力してＩＦＦＴ変換を行うことを特徴とする請求項１に記載のＴＦＩ−ＯＦＤＭ伝送システム。
【請求項５】
超広帯域通信のためのＴＦＩ−ＯＦＤＭ）伝送システムの伝送方法において、
（ａ）伝送速度モードに対応する速度を有するデータを発生するステップ、
（ｂ）前記データをコンボリューショナルエンコーディングするステップ、
（ｃ）エンコーディングされた前記データをビットインタリービングするステップ、
（ｄ）正の周波数領域において第１データ群を入力し、負の周波数領域において第２データ群を入力してＩＦＦＴ変換（Ｉｎｖｅｒｔ  Ｆａｓｔ  Ｆｏｕｒｉｅｒ  Ｔｒａｎｓｆｏｒｍ）してＯＦＤＭシンボルを出力するステップ、
（ｅ）前記ＯＦＤＭシンボルを少なくとも２回以上繰返して互いに異なる周波数帯域において順次伝送するステップ、
を含むことを特徴とするＴＦＩ−ＯＦＤＭ伝送システムの伝送方法。
【請求項６】
前記（ｂ）のステップは、１／３コーディングレートでエンコーディングしてエンコーディングされた第１データ群、第２データ群、及び第３データ群をそれぞれ出力し、
前記（ｃ）のステップは、前記第１データ群、前記第２データ群、及び前記第３データ群に対してそれぞれトーンインタリービングすることを特徴とする請求項５に記載のＴＦＩ−ＯＦＤＭ伝送システムの伝送方法。
【請求項７】
前記伝送速度モードは、１１０Ｍｂｐｓモード及び２００Ｍｂｐｓモードのうちいずれか１つであることを特徴とする請求項５に記載のＴＦＩ−ＯＦＤＭ伝送システムの伝送方法。
【請求項８】
前記伝送速度モードが５５Ｍｂｐｓモードである場合、前記（ｄ）のステップでは、
前記正の周波数領域の１／２に第１データ群を入力し、残りの１／２に前記第１データ群を複写して入力し、前記負の周波数領域の１／２に第２データ群を入力し、残りの１／２に前記第２データ群を複写して入力し、ＩＦＦＴ変換を行うことを特徴とする請求項５に記載のＴＦＩ−ＯＦＤＭ伝送システムの伝送方法。
【請求項９】
超広帯域通信のためのＴＦＩ−ＯＦＤＭ（Ｔｉｍｅ  Ｆｒｅｑｕｅｎｃｙ  Ｉｎｔｅｒｌｅａｖｅｄ  Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）受信システムにおいて、
伝送チャネルに対応する所定の個数の周波数帯域において伝送されるＯＦＤＭシンボルを受信する受信部、
順次に受信される同一の内容のデータを有する少なくとも２つ以上の前記ＯＦＤＭシンボルに対する電力を測定して少なくとも２つ以上の前記ＯＦＤＭシンボルに対する衝突有無を判断する衝突検出部、
前記衝突検出部において判断された少なくとも２つ以上の前記ＯＦＤＭシンボルに対する衝突有無に基づいて処理するデータを検出する前記データ検出部、
を含むことを特徴とするＴＦＩ−ＯＦＤＭ受信システム。
【請求項１０】
前記衝突検出部は、
第１周波数帯域及び第２周波数帯域から順次に受信される同一のＯＦＤＭシンボルに対する第１電力及び第２電力をそれぞれ測定し、
前記第１及び第２周波数帯域からそれぞれ受信される信号に対する第１平均電力及び第２平均電力をそれぞれ測定し、
前記第１電力と前記第１平均電力を比較し、前記第２電力と前記第２平均電力を比較して、前記第１及び第２周波数帯域のＯＦＤＭシンボルの衝突有無を判断して、前記データ検出部に提供することを特徴とする請求項９に記載のＴＦＩ−ＯＦＤＭ受信システム。
【請求項１１】
前記衝突検出部は、
前記第１電力が前記第１平均電力に所定のマージンを加えた値より小さく、前記第２電力が前記第２平均電力に所定のマージンを加えた値より小さければ、前記第１及び第２周波数帯域のＯＦＤＭシンボルの全てに衝突が発生しなかったものと判断し、
前記データ検出部は、前記第１及び第２周波数帯域のＯＦＤＭシンボルに対応するデータを検出することを特徴とする請求項１０に記載のＴＦＩ−ＯＦＤＭ受信システム。
【請求項１２】
前記衝突検出部は、
前記第１電力が前記第１平均電力に所定のマージンを加えた値より小さく、前記第２電力が前記第２平均電力に所定のマージンを加えた値より大きければ、前記第２周波数帯域のＯＦＤＭシンボルに衝突が発生したものと判断し、
前記データ検出部は、前記第１周波数帯域のＯＦＤＭシンボルに対応するデータを検出することを特徴とする請求項１０に記載のＴＦＩ−ＯＦＤＭ受信システム。
【請求項１３】
前記衝突検出部は、
前記第１電力が前記第１平均電力に所定のマージンを加えた値より大きく、前記第２電力が前記第２平均電力に所定のマージンを加えた値より小さければ、前記第１周波数帯域のＯＦＤＭシンボルに衝突が発生したものと判断し、
前記データ検出部は、前記第２周波数帯域のＯＦＤＭシンボルに対応するデータを検出することを特徴とする請求項１０に記載のＴＦＩ−ＯＦＤＭ受信システム。
【請求項１４】
前記衝突検出部は、
前記第１電力が前記第１平均電力に所定のマージンを加えた値より大きく、前記第２電力が前記第２平均電力に所定のマージンを加えた値より大きければ、前記第１及び第２周波数帯域のＯＦＤＭシンボルの全てに衝突が発生したものと判断し、
前記データ検出部は、前記第１及び第２周波数帯域のＯＦＤＭシンボルに対応するデータを検出することを特徴とする請求項１０に記載のＴＦＩ−ＯＦＤＭ受信システム。
【請求項１５】
前記衝突検出部は、
前記第１電力が前記第１平均電力に所定のマージンを加えた値より大きく、前記第２電力が前記第２平均電力に所定のマージンを加えた値より大きければ、前記第１及び第２周波数帯域のＯＦＤＭシンボルの全てに衝突が発生したものと判断し、
前記データ検出部は、前記第１及び第２周波数帯域のＯＦＤＭシンボルに対応するデータを全て検出しないことを特徴とする請求項１０に記載のＴＦＩ−ＯＦＤＭ受信システム。
【請求項１６】
超広帯域通信のためのＴＦＩ−ＯＦＤＭ受信システムの受信方法において、
（ａ）伝送チャネルに対応する所定の個数の周波数帯域において伝送されるＯＦＤＭシンボルを受信するステップ、
（ｂ）順次に受信される同一のデータを有する少なくとも２つ以上の前記ＯＦＤＭシンボルに対する電力を測定し、少なくとも２つ以上の前記ＯＦＤＭシンボルに対する衝突有無を判断するステップ、
（ｃ）前記判断結果に基づいて少なくとも２つ以上の前記ＯＦＤＭシンボルのうち、処理するデータを検出するステップ、
を含むことを特徴とするＴＦＩ−ＯＦＤＭ受信システムの受信方法。
【請求項１７】
前記（ｂ）のステップは、
（ｂ−１）第１周波数帯域及び第２周波数帯域から順次に受信される同一のＯＦＤＭシンボルに対する第１電力及び第２電力をそれぞれ測定するステップ、
（ｂ−２）前記第１及び第２周波数帯域からそれぞれ受信される信号に対する第１平均電力及び第２平均電力をそれぞれ測定するステップ、
（ｂ−３）前記第１電力と前記第１平均電力を比較し、前記第２電力と前記第２平均電力を比較して、前記第１及び第２周波数帯域のＯＦＤＭシンボルの衝突有無を判断して、前記（ｃ）のステップに提供するステップ、
を含むことを特徴とする請求項１６に記載のＴＦＩ−ＯＦＤＭ受信システムの受信方法。
【請求項１８】
前記（ｂ−３）のステップは、
前記第１電力が前記第１平均電力に所定のマージンを加えた値より小さく、前記第２電力が前記第２平均電力に所定のマージンを加えた値より小さければ、前記第１及び第２周波数帯域のＯＦＤＭシンボルの全てに衝突が発生しなかったものと判断し、
前記（ｃ）のステップは、前記第１及び第２周波数帯域のＯＦＤＭシンボルに対応するデータを検出することを特徴とする請求項１７に記載のＴＦＩ−ＯＦＤＭ受信システムの受信方法。
【請求項１９】
前記（ｂ−３）のステップは、
前記第１電力が前記第１平均電力に所定のマージンを加えた値より小さく、前記第２電力が前記第２平均電力に所定のマージンを加えた値より大きければ、前記第２周波数帯域のＯＦＤＭシンボルに衝突が発生したものと判断し、
前記（ｃ）のステップは、前記第１周波数帯域のＯＦＤＭシンボルに対応するデータを検出することを特徴とする請求項１７に記載のＴＦＩ−ＯＦＤＭ受信システムの受信方法。
【請求項２０】
前記（ｂ−３）のステップは、
前記第１電力が前記第１平均電力に所定のマージンを加えた値より大きく、前記第２電力が前記第２平均電力に所定のマージンを加えた値より小さければ、前記第１周波数帯域のＯＦＤＭシンボルに衝突が発生したものと判断し、
前記（ｃ）のステップは、前記第２周波数帯域のＯＦＤＭシンボルに対応するデータを検出することを特徴とする請求項１７に記載のＴＦＩ−ＯＦＤＭ受信システムの受信方法。
【請求項２１】
前記（ｂ−３）のステップは、
前記第１電力が前記第１平均電力に所定のマージンを加えた値より大きく、前記第２電力が前記第２平均電力に所定のマージンを加えた値より大きければ、前記第１及び第２周波数帯域のＯＦＤＭシンボルの全てに衝突が発生したものと判断し、
前記（ｃ）のステップは、前記第１及び第２周波数帯域のＯＦＤＭシンボルに対応するデータを検出することを特徴とする請求項１７に記載のＴＦＩ−ＯＦＤＭ受信システムの受信方法。
【請求項２２】
前記（ｂ−３）のステップは、
前記第１電力が前記第１平均電力に所定のマージンを加えた値より大きく、前記第２電力が前記第２平均電力に所定のマージンを加えた値より大きければ、前記第１及び第２周波数帯域のＯＦＤＭシンボルの全てに衝突が発生したものと判断し、
前記（ｃ）のステップは、前記第１及び第２周波数帯域のＯＦＤＭシンボルに対応するデータを全て検出しないことを特徴とする請求項１７に記載のＴＦＩ−ＯＦＤＭ受信システムの受信方法。
【発明の詳細な説明】
【技術分野】
【０００１】
本発明は、超広帯域の伝送のための多重バンド直交周波数多重化技法において、ピコネット間の相互干渉の影響を緩和するためにＴＦＩ−ＯＦＤＭ（Ｔｉｍｅ  Ｆｒｅｑｕｅｎｃｙ  Ｉｎｔｅｒｌｅａｖｅｄ  Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）伝送／受信システム及びその伝送／受信方法に関するものである。
【背景技術】
【０００２】
ＵＷＢ（Ｕｌｔｒａ  Ｗｉｄｅ  Ｂａｎｄ：３．１〜１０．６ＧＨｚ）のように広い周波数帯域を用いる無線通信環境においては、全体周波数バンドを１つまたは有限個数のサブバンド（ｓｕｂ−ｂａｎｄ）に分けて用いる。時間領域においては、全ての時間領域において信号が存在する連続波を使わず、一定の時間領域でのみ信号が存在するウェーブパケットを用いることになる。単一周波数バンドを用いるシングルバンド（Ｓｉｎｇｌｅ  Ｂａｎｄ）方式では、超広帯域の周波数を全て用いるインパルスを送受信信号として用いるが、このような方式は、他のシステムとの干渉において弱くなるという問題点を有する。これを克服するために提案されたマルチバンド（Ｍｕｌｔｉ  Ｂａｎｄ）方式は、数個のサブバンドを必要に応じて用いることができるので干渉に対処し易いが、単一発振器からなるＲＦ回路（高周波回路）を用いる場合、多重経路フェーディング（減衰）チャネルを経由して受信するエネルギーは、信号エネルギー全体の２０％程度になるので、深刻な性能劣化が発生することになる。これを解決する伝送方式としてテキサスインスツルメント（Ｔｅｘａｓ  Ｉｎｓｔｒｕｍｅｎｔ）社は、ＴＦＩ−ＯＦＤＭ方式を提案した。
【０００３】
図１Ａ及び図１Ｂは、従来のＴＦＩ−ＯＦＤＭ伝送システムより伝送されるデータの周波数領域上のスペクトルを示したものである。
【０００４】
図１Ａは、５５Ｍｂｐｓモードの伝送方式であって、正の周波数領域の１／２にのみ実際のデータを載せて伝送し、残りの１／２に該当する部分には、実際のデータと同一の複製データを載せて伝送する。また、負の周波数領域には、正の周波数領域において伝送される実際のデータの共役複素数を載せて伝送する。一方、図１Ｂは、１１０Ｍｂｐｓと２００Ｍｂｐｓモードの伝送方式であって、正の周波数領域において実際のデータを載せて伝送し、負の周波数領域には、実際のデータの共役複素数を載せて伝送する。
【０００５】
図２は、従来のＴＦＩ−ＯＦＤＭ伝送システムにより周波数領域において拡張された伝送方式を示したものであって、これを参照して従来の伝送方式による問題点を導出する。３つの周波数帯域（ｆ１、ｆ２、ｆ３）を利用して｛ｆ１、ｆ２、ｆ３、ｆ１、ｆ２、ｆ３、．．．｝の伝送チャネルを有するピコネットＡと、｛ｆ３、ｆ２、ｆ１、ｆ３、ｆ２、ｆ１、．．．｝の伝送チャネルを有するピコネットＢとの間の衝突現状を示したのである。図２に示されたとおり、周波数帯域ｆ２に伝送されるピコネットＡのＯＦＤＭシンボル（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ｓｙｍｂｏｌ）Ａ２とピコネットＢのＯＦＤＭシンボルＢ２との間に衝突されて信号の損失が発生する。このように、衝突が発生したＯＦＤＭシンボルについては、受信側で復元が不可能であるという問題がある。
【０００６】
従って、従来のＴＦＩ−ＯＦＤＭシステムにおいて、隣接ＳＯＰ（ｓｉｍｕｌｔａｎｅｏｕｓｌｙ ｏｐｅｒａｔｉｎｇ ｐｉｃｏｎｅｔ：同時動作ピコネット）からの干渉信号による衝突現象を緩和させなければならない課題を有している。
【発明の開示】
【発明が解決しようとする課題】
【０００７】
前記のような課題を解決するための本発明の目的は、正の周波数領域及び負の周波数領域において互いに異なるデータを載せて伝送し、これについて、時間領域へ拡張する伝送方式を適用したＴＦＩ−ＯＦＤＭ伝送システム及びその伝送方法と、前記伝送システムに対応するＴＦＩ−ＯＦＤＭ受信システム及びその受信方法を提供するのにある。
【課題を解決するための手段】
【０００８】
前記のような課題を解決するための本発明によるＴＦＩ−ＯＦＤＭ伝送システムは、伝送速度モードに対応する速度を有するデータを発生するデータ発生部と、前記データをコンボリューショナルエンコーディング（Ｃｏｎｖｏｌｕｔｉｏｎａｌ  Ｅｎｃｏｄｉｎｇ：畳み込み符号化）するコンボリューショナルエンコーダ（Ｃｏｎｖｏｌｕｔｉｏｎａｌ  Ｅｎｃｏｄｅｒ：畳み込み符号器）と、エンコーディング（符号化）された前記データをビットインタリービング（Ｂｉｔ  Ｉｎｔｅｒｌｅａｖｉｎｇ）するインタリーバ（Ｉｎｔｅｒｌｅａｖｅｒ）と、正の周波数領域において第１データ群を入力し、負の周波数領域において第２データ群を入力してＩＦＦＴ変換（Ｉｎｖｅｒｔ  Ｆａｓｔ  Ｆｏｕｒｉｅｒ  Ｔｒａｎｓｆｏｒｍ：高速フーリエ逆変換）してＯＦＤＭシンボルで出力するＯＦＤＭ変調部と、前記ＯＦＤＭシンボルを時間領域において順次に少なくとも２回以上繰返して伝送するために前記ＯＦＤＭシンボルを一時保存するためのバッファ及び伝送チャネルに対応する所定の個数の周波数帯域において前記ＯＦＤＭシンボルを伝送するために所定の周波数を発生する周波数発生部を含む。
【０００９】
好ましくは、前記コンボリューショナルエンコーダは、１／３コーディングレート（Ｃｏｄｉｎｇ  Ｒａｔｅ）を有し、これにより第１、第２及び第３発生部からエンコーディングされた第１データ群、第２データ群及び第３データ群をそれぞれ出力し、前記インタリーバは、前記第１データ群、前記第２データ群及び前記第３データ群に対してそれぞれトーンインタリービングする。
【００１０】
一方、本発明によるＴＦＩ−ＯＦＤＭ伝送システムの伝送方法は、（ａ）伝送速度モードに対応する速度を有するデータを発生するステップ、（ｂ）前記データをコンボリューショナルエンコーディングするステップ、（ｃ）エンコーディングされた前記データをビットインタリービングするステップ、（ｄ）正の周波数領域において第１データ群を入力して、負の周波数領域において第２データ群を入力してＩＦＦＴ変換（Ｉｎｖｅｒｔ  Ｆａｓｔ  Ｆｏｕｒｉｅｒ  Ｔｒａｎｓｆｏｒｍ）してＯＦＤＭシンボルを出力するステップ、（ｅ）前記ＯＦＤＭシンボルを少なくとも２回以上繰返して互いに異なる周波数帯域において順次伝送するステップ、を含むことを特徴とする。
【００１１】
好ましくは、前記（ｂ）のステップは、１／３コーディングレートでエンコーディングしてエンコーディングされた第１データ群、第２データ群及び第３データ群をそれぞれ出力し、前記（ｃ）のステップは、前記第１データ群、前記第２データ群及び前記第３データ群に対してそれぞれトーンインタリービング（Ｔｏｎｅ−Ｉｎｔｅｒｌｅａｖｉｎｇ）する。
【００１２】
本発明による超広帯域通信のためのＴＦＩ−ＯＦＤＭ受信システムは、伝送チャネルに対応する所定の個数の周波数帯域において伝送されるＯＦＤＭシンボルを受信する受信部と、順次受信される同一のデータを有する少なくとも２つ以上の前記ＯＦＤＭシンボルに対する電力を測定して少なくとも２つ以上の前記ＯＦＤＭシンボルに対する衝突有無を判断する衝突検出部、及び少なくとも２つ以上の前記ＯＦＤＭシンボルに対して前記衝突検出部により決定された衝突有無に基づいて処理するデータを検出するデータ検出部を含む。
【００１３】
前記衝突検出部は、第１周波数帯域及び第２周波数帯域から順次受信される同一のＯＦＤＭシンボルに対する第１電力及び第２電力をそれぞれ測定し、前記第１及び第２周波数帯域からそれぞれ受信される信号に対する第１平均電力及び第２平均電力をそれぞれ測定し、前記第１電力と前記第１平均電力を比較し、前記第２電力と前記第２平均電力を比較して、前記第１及び第２周波数帯域のＯＦＤＭシンボルの衝突有無を判断し、前記データ検出部に提供する。
【００１４】
一方、本発明による超広帯域通信のためのＴＦＩ−ＯＦＤＭ受信システムの受信方法は、（ａ）伝送チャネルに対応する所定の個数の周波数帯域において伝送されるＯＦＤＭシンボルを受信するステップ、（ｂ）順次受信される同一のデータを有する少なくとも２つ以上の前記ＯＦＤＭシンボルに対する電力を測定して少なくとも２つ以上の前記ＯＦＤＭシンボルに対する衝突有無を判断するステップ、及び（ｃ）前記判断結果に基づいて少なくとも２つ以上の前記ＯＦＤＭシンボルのうち、処理するデータを検出するステップ、を含むことを特徴とする。
前記（ｂ）のステップは、（ｂ−１）第１周波数帯域及び第２周波数帯域から順次受信される同一のＯＦＤＭシンボルに対する第１電力及び第２電力をそれぞれ測定するステップ、（ｂ−２）前記第１及び第２周波数帯域からそれぞれ受信される信号に対する第１平均電力及び第２平均電力をそれぞれ測定するステップ、及び（ｂ−３）前記第１電力と前記第１平均電力を比較して、前記第２電力と前記第２平均電力を比較して、前記第１及び第２周波数帯域のＯＦＤＭシンボルの衝突有無を判断し、前記（ｃ）段階に提供するステップ、を含む。
【発明の効果】
【００１５】
本発明は、多重ピコネット環境において衝突が発生しなかったＯＦＤＭシンボルを選択的に利用して、データ受信に利用することにより、受信性能を向上させるものである。
【００１６】
本発明によるＴＦＩ−ＯＦＤＭ伝送システムにより正の周波数領域及び負の周波数領域において互い異なるデータをＯＦＤＭ変調し、変調されたＯＦＤＭシンボルを時間領域において少なくとも２回以上繰返して伝送することにより、多重ピコネットチャネル環境において隣接ＳＯＰによる衝突確率を緩和させることができる。
【００１７】
また、本発明によるＴＦＩ−ＯＦＤＭ受信システムにより多重ピコネット環境における衝突が発生しなかったＯＦＤＭシンボルを選択的にデータ受信に活用できる。
【発明を実施するための最良の形態】
【００１８】
以下では、図面を参照して本発明をより詳しく説明する。
【００１９】
本発明の説明に先立って、本発明によるＴＦＩ−ＯＦＤＭシステムは、１／３ｒａｔｅコンボリューショナルエンコーダを用い、適用可能な伝送速度モードは、１１０Ｍｂｐｓモード及び２００Ｍｂｐｓモードにし、伝送帯域は、３つの周波数帯域（ｆ１、ｆ２、ｆ３）を有する場合を例とする。但し、本発明は、１／３コンボリューショナルエンコーダに限定せず、伝送速度も限定しない。
【００２０】
図３Ａは、本発明による実施例であって、ＴＦＩ−ＯＦＤＭシステムに対する概略的なブロック図である。図示されたとおり、伝送システムは、データ発生部３１０、コンボリューショナルエンコーダ３２０、インタリーバ３３０、ＱＰＳＫ変調部（Ｑｕａｄｒａｔｕｒｅ  Ｐｈａｓｅ  Ｓｈｉｆｔ  Ｋｅｙｉｎｇ  Ｍｏｄｕｌａｔｏｒ）３４０、ＯＦＤＭ変調部３５０、保護区間挿入部（Ｇｕａｒｄ  Ｉｎｔｅｒｌｅａｖｅ  Ｉｎｓｅｒｔｅｒ）３６０、Ｄ／Ａコンバータ３７０、バッファ３８０及び周波数発生部３９０を有している。
【００２１】
データ発生部３１０は、システムにおいて定義する伝送速度モード（例えば、１１０Ｍｂｐｓ、２００Ｍｂｐｓ）と一致する速度を有する２値データを発生する。
【００２２】
コンボリューショナルエンコーダ３２０は、入力されるデータを所定のコーディングレートでコンボリューショナルエンコーディングを行う。例えば、１／３コーディングレートを有する場合、２００ビットデータが入力されると、６００ビットのコーディングされたデータを出力する。
【００２３】
インタリーバ３３０は、コーディングされたデータにシンボルインタリービング及びトーンインタリービングを行う。
【００２４】
ＱＰＳＫ変調部３４０は、入力されるデータに対してＱＰＳＫ変調を行う。例えば、２００ビットのデータを、２ビットを１つのシンボルとしてマッピング（Ｍａｐｐｉｎｇ）し、１００個のシンボルデータとして出力する。
【００２５】
ＯＦＤＭ変調部３５０は、周波数領域のデータをＩＦＦＴ変換して時間領域のＯＦＤＭシンボルに変調する。本発明によっては、ＯＦＤＭ変調部３５０は、正の周波数領域と負の周波数領域において互いに異なるデータを入力してＩＦＦＴ変換して複素数形式の時間領域のＯＦＤＭシンボルを出力する。従って、従来のＴＦＩ−ＯＦＤＭ伝送システムの時間領域のＯＦＤＭシンボルに比べて２倍のデータ量が伝送される。
【００２６】
保護区間挿入部３６０は、多重経路チャネル環境においてＯＦＤＭシンボルの直交性を維持するためにＩＦＦＴ変換されたＯＦＤＭシンボルの裏面部分の一定区間を複製して全面部分に挿入する。このようにＯＦＤＭシンボルの全面部分に挿入された一定区間を保護区間（Ｇｕａｒｄ  ｉｎｔｅｒｖａｌ）という。
【００２７】
Ｄ／Ａコンバータ３７０は、デジタル信号をアナログ信号に変換する。
【００２８】
バッファ３８０は、本発明によってＯＦＤＭシンボルを時間領域において拡張するために伝送されたＯＦＤＭシンボルを一時的に保存することにより、同一のＯＦＤＭシンボルを時間領域で順次少なくとも２回以上繰返して伝送する。
【００２９】
周波数発生部３９０は、既設定された伝送チャネルパタンに対応して３つの周波数帯域に対応する周波数を発生する。従って、最終アナログ信号に変換されたＯＦＤＭシンボルを所定の周波数帯域において順次アップコンバーティング（Ｕｐ−Ｃｏｎｖｅｒｔｉｎｇ）する。
【００３０】
従って、本発明によるＴＦＩ−ＯＦＤＭ伝送システムにより伝送されるＯＦＤＭシンボルは、既存のＯＦＤＭシンボルに比べて２倍のデータ量を伝送し、伝送チャネルによって互いに異なる周波数帯域において順次２回繰返して伝送する。
【００３１】
一方、図３Ｂは、本発明によるより好ましい実施例であるＴＦＩ−ＯＦＤＭ伝送システムに対する概略的なブロック図であり、図３Ａに示された伝送システムと同一のブロックについては、詳細な説明を省略する。
【００３２】
伝送システムは、コンボリューショナルエンコーダ３２１、インタリーバ３３１、ＱＰＳＫ変調部３４１、ＯＦＤＭ変調部３５１、バッファ３８１及び周波数発生部３９１を有している。
【００３３】
コンボリューショナルエンコーダ３２１は、１／３のコーディングレートを有し、これにより、３つのＧＥＮＥＲＡＴＯＲ  ＰＯＬＹＮＯＭＩＡＬ（以下においては、‘第１、第２及び第３発生部’という）を有し、第１、第２及び第３発生部（Ｇ１、Ｇ２、Ｇ３）でコーディングされたデータをそれぞれ出力する。例えば、２００ビットデータが入力されると、第１、第２及び第３発生部（Ｇ１、Ｇ２、Ｇ３）でそれぞれコーディングされた２００ビットの第１、第２及び第３データ群をそれぞれ出力する。
【００３４】
インタリーバ３３１は、コンボリューショナルエンコーダ３２０の第１、第２及び第３発生部（Ｇ１、Ｇ２、Ｇ３）よりそれぞれ出力される第１、第２及び第３データ群に対して、シンボルインタリービング（Ｓｙｍｂｏｌ−Ｉｎｔｅｒｌｅａｖｉｎｇ）は省略し、トーンインタリービング（Ｔｏｎｅ−Ｉｎｔｅｒｌｅａｖｉｎｇ）のみをそれぞれ行う。
【００３５】
ＱＰＳＫ変調部３４１は、トーンインタリービングされた第１、第２及び第３データ群に対してＱＰＳＫ変調をそれぞれ行う。
【００３６】
ＯＦＤＭ変調部３５０は、周波数領域のデータをＩＦＦＴ変換して時間領域のＯＦＤＭシンボルに変調する。本発明によっては、ＯＦＤＭ変調部３５０の正の周波数領域と負の周波数領域において互いに異なるデータを入力してＩＦＦＴ変換する。即ち、正の周波数領域には第１データ群を、負の周波数領域には第２データ群が入力されることにより、ＩＦＦＴ変換されたＯＦＤＭシンボルは、第１データ群及び第２データ群に対応する。
【００３７】
その後、ＯＦＤＭシンボルに保護区間を挿入し、アナログ信号に変換する。
【００３８】
バッファ３８１は、ＯＦＤＭシンボルを時間領域において拡張するためにＯＦＤＭシンボルを一時保存する。これにより、同一のＯＦＤＭシンボルを時間領域上で順次に少なくとも２回以上繰返して伝送する。周波数発生部３９０は、既設定された伝送チャネルパタンに対応して３つの周波数帯域（ｆ１、ｆ２、ｆ３）に対応する周波数を発生する。
【００３９】
最終アナログ信号に変換されたＯＦＤＭシンボルを所定の周波数帯域において順次に２回繰返してアップコンバーデイングする。即ち、伝送チャネルが｛ｆ１、ｆ２、ｆ３、ｆ１、ｆ２、ｆ３、．．．｝である場合、最終アナログ信号に変換されたＯＦＤＭシンボルは、時刻Ｔ０に周波数帯域ｆ１へ１回伝送され、バッファ３８０に一時保存された後、次の時刻Ｔ１に周波数帯域ｆ２へもう１回繰返して伝送される。
【００４０】
以上では、１１０Ｍｂｐｓ、２００Ｍｂｐｓモードを説明し、５５Ｍｂｐｓモードである場合は、ＯＦＤＭ変調部３５０または３５１のデータ入力方式において他の形態を有する。即ち、正の周波数領域の１／２にデータを入力し、残りの１／２には、実際のデータと同一のデータを複製して入力し、負の周波数領域の１／２に他のデータを入力し、残りの１／２には、他のデータを複写して入力する。このようにローディングされたデータは、ＩＦＦＴ変換されて既存の５５ＭｂｐｓモードのＯＦＤＭシンボルに比べて２倍のデータ量をＯＦＤＭシンボルで出力される。その後、ＯＦＤＭシンボルは、前述のとおりデータ処理され、時間領域において２回繰返されて伝送することにより、従来の５５Ｍｂｐｓモードと同一のデータ伝送レートを有することになる。一方、４８０Ｍｂｐｓモードの場合は、従来の伝送方式と同様に適用される。
【００４１】
図４は、本発明によるＴＦＩ−ＯＦＤＭ伝送システムの時間領域において拡張された伝送方式に対する概念図であって、これを参照して本発明による伝送方式を詳細に説明する。ここでは、伝送チャネルパタンが３つの周波数帯域（ｆ１、ｆ２、ｆ３）に対して｛ｆ３、ｆ１、ｆ２、ｆ３、ｆ１、ｆ２、．．｝を有するピコネットＡを例として説明する。
【００４２】
図示されたように、それぞれの周波数帯域に載せられたＯＦＤＭシンボルは、正の周波数領域及び負の周波数領域において互いに異なるデータをそれぞれ有し、時間軸上に２回繰返されて伝送される。即ち、時刻Ｔ０に周波数帯域ｆ３へ伝送されるＯＦＤＭシンボル（Ａ１１、Ａ１２）は、次の時刻Ｔ１に周波数帯域ｆ１へもう１回伝送される。このように、多数のＯＦＤＭシンボルは、伝送チャネルパタンによる周波数帯域において２回繰返されて伝送される。従って、図２に示された従来の伝送方式と比較するとき、時間領域Ｔ０からＴ５まで伝送されたＯＦＤＭシンボルに対するデータ伝送レートは、本発明の伝送方式と従来の伝送方式が同一であることが分かる。
【００４３】
図５は、本発明による伝送方式により伝送された多重ピコネットのシンボル間の衝突（Ｃｏｌｌｉｓｉｏｎ）の状態を一例として示した概念図であって、これを参照して本発明による伝送方式が従来の伝送方式（図２に示される）と同一のデータ伝送レートであるにも拘らず、隣接ＳＯＰ性能が改善されることを説明する。
【００４４】
３つの周波数帯域（ｆ１、ｆ２、ｆ３）に対してピコネットＡの伝送チャネルパタンは｛ｆ１、ｆ２、ｆ３、ｆ１、ｆ２、ｆ３、．．｝であり、ピコネットＢの伝送チャネルパタンは、｛ｆ３、ｆ２、ｆ１、ｆ３、ｆ２、ｆ１、．．｝である場合を説明する。図示されたように、時刻Ｔ１に周波数帯域ｆ２へ伝送されるピコネットＡのＯＦＤＭシンボルＡ１は、ピコネットＢのＯＦＤＭシンボルＢ１と衝突が発生し、また、時刻Ｔ４に周波数帯域ｆ２へ伝送されるピコネットＡのＯＦＤＭシンボルＡ３とピコネットＢのＯＦＤＭシンボルＢ３との間に衝突が発生する。このように、多重ピコネット間には、隣接したＳＯＰにより伝送シンボル間の衝突を避けることができない。
【００４５】
しかし、時間領域において拡張された本発明の伝送方式によっては、同一のＯＦＤＭシンボルが時間軸で２回繰返されて伝送されることにより、前記衝突が発生したＯＦＤＭシンボルＡ１、Ｂ１及びＡ３、Ｂ３は、以前または以後の時間領域で他の周波数帯域を通じてもう１回伝送される。従って、同一のＯＦＤＭシンボルが２回伝送されることによって、１つのＯＦＤＭシンボルが衝突により失われても、他のＯＦＤＭシンボルが損失なく伝送されることにより、隣接ＳＯＰ性能が確実に改善されることができる。
【００４６】
図６Ａないし図６Ｃは、本発明による伝送方式をより詳しく説明するための図である。
【００４７】
図６Ａは、伝送チャネルＣＨ＃１に対してそれぞれの伝送チャネルＣＨ＃２、ＣＨ＃３及びＣＨ＃４が０．５ＯＦＤＭシンボルだけ遅延された場合に、隣接した伝送チャネル間の衝突現状を示したものである。図示されたように、伝送チャネルＣＨ＃１に対して、伝送チャネルＣＨ＃２は、４つのシンボル衝突が発生し、伝送チャネルＣＨ＃３及び伝送チャネルＣＨ＃４は、それぞれ３つのシンボル衝突が発生する。従って、伝送チャネルＣＨ＃１は、伝送チャネルＣＨ＃２と隣接した場合、最悪のチャネル環境であって、図６Ｂ示されたように、伝送される６００ビットのデータに対して４００ビットのデータのみが欠陥なく伝送される。
【００４８】
これに、伝送チャネルＣＨ＃１に伝送されるＯＦＤＭシンボルが図３Ｂに示された伝送システムによりデータ処理された場合であれば、周波数帯域ｆ１、ｆ２に伝送される第１ＯＦＤＭシンボルは、コンボリューショナルエンコーダ３２０の第１発生部Ｇ１より出力された第１データ群に対応するものであり、周波数帯域ｆ３、ｆ１に伝送される第２ＯＦＤＭシンボルは、第２発生部Ｇ２より出力された第２データ群に対応するものであり、周波数帯域ｆ２、ｆ３に伝送される第３ＯＦＤＭシンボルは、第３発生部Ｇ３より出力された第３データ群に対応する。従って、図６Ｂに示されたように、最悪のチャネル環境においてもコンボリューショナルエンコーダ３２０の第１発生部Ｇ１より出力される第１データ群に対応する第１ＯＦＤＭシンボルのみが損失され、第２及び第３発生部（Ｇ２、Ｇ３）より出力される第２及び第３データ群に対応する第２及び第３ＯＦＤＭシンボルは欠陥なく伝送される。
【００４９】
従って、図６Ｃに示されたように、効果は１／２コンボリューショナルエンコーディングと同じである。そのためエラー訂正能力の１／２は、受信側で１／２コンボリューショナルデコーディングを行うことにより維持される。
【００５０】
図７Ａないし図７Ｄは、本発明による時間領域において拡張された伝送方式をそれぞれの伝送チャネルパタンによって適用される例を示したものであり、ここでは、３つの周波数帯域（ｆ１、ｆ２、ｆ３）に対する４種類の伝送チャネルパタンを例とする。
【００５１】
図７Ａに示された伝送チャネルＣＨ＃１＝｛ｆ１、ｆ２、ｆ３、ｆ１、ｆ２、ｆ３、．．．｝に対して、周波数帯域ｆ１、ｆ２には、第１ＯＦＤＭシンボルを、周波数帯域ｆ３、ｆ１には、第２ＯＦＤＭシンボルを、周波数帯域ｆ２、ｆ３には、第３ＯＦＤＭシンボルを順次にそれぞれ伝送する。
【００５２】
図７Ｂに示された伝送チャネルＣＨ＃２＝｛ｆ１、ｆ３、ｆ２、ｆ１、ｆ３、ｆ２、．．．｝に対して、周波数帯域ｆ１、ｆ３には第１ＯＦＤＭシンボルを、周波数帯域ｆ２、ｆ１には第２ＯＦＤＭシンボルを、周波数帯域ｆ３、ｆ２には、第３ＯＦＤＭシンボルを順次にそれぞれ伝送する。
【００５３】
図７Ｃに示された伝送チャネルＣＨ＃３＝｛ｆ１、ｆ１、ｆ２、ｆ２、ｆ３、ｆ３、．．．｝に対しては、周波数ｆ１、ｆ１及びｆ２には第１、第２及び第３ＯＦＤＭシンボルをそれぞれ伝送し、周波数帯域ｆ２、ｆ３及びｆ３には前期第１、第２、第３ＯＦＤＭシンボルをもう１回繰返して伝送する。
【００５４】
図７Ｄに示された伝送チャネルＣＨ＃４＝｛ｆ１、ｆ１、ｆ３、ｆ３、ｆ２、ｆ２、．．．｝に対しては、周波数ｆ１、ｆ１及びｆ３には第１、第２及び第３ＯＦＤＭシンボルをそれぞれ伝送し、周波数帯域ｆ３、ｆ２及びｆ２には前期第１、第２、第３ＯＦＤＭシンボルをもう１回繰返して伝送する。
【００５５】
以上のとおり、本発明によるＴＦＩ−ＯＦＤＭ伝送システムにおいては、正の周波数領域及び負の周波数領域において互いに異なるデータを載せて伝送し、また、ＯＦＤＭシンボルを時間領域において拡張して伝送することにより、従来のＴＦＩ−ＯＦＤＭ伝送方式のデータ伝送レートと同一であり、隣接ＳＯＰからの干渉信号による衝突を緩和させることができる。
【００５６】
図８は、本発明によるＴＦＩ−ＯＦＤＭ受信システムの機能を示すブロック図である。図示されたように、受信システムは、受信部８１０、同期化／チャネル推定部８２０、衝突検出部８３０、ＯＦＤＭ復調部８４０、位相補償部８５０、等化部８６０、データ検出部８７０及びデインタリーバ８８０を有している。
【００５７】
受信部８１０は、所定の個数の周波数帯域を既設定された伝送チャネルパタンに沿って変化させながらダウンコンバーティングする。
【００５８】
同期化／チャネル推定部８２０は、所定の個数の周波数帯域のうち特定の周波数帯域を掃引してプリアンブル間の相関（ｃｒｏｓｓ−ｃｏｒｒｅｌａｔｉｏｎ）を通じて同期信号を検出する。１つのチャンネルは、１つの周波数帯域毎に２つの参照ＯＦＤＭシンボルを用いて推定する。例えば、伝送チャネルパタンが｛ｆ１、ｆ２、ｆ３、ｆ１、ｆ２、ｆ３、．．．｝である場合、同一の周波数帯域ｆ１に伝送されるＯＦＤＭシンボルは、時間軸に３つのＯＦＤＭシンボル間隔で繰返して存在する。即ち、１つの周波数帯域において伝送される２つのＯＦＤＭシンボル間には、位相オフセット、タイミングオフセット及び周波数オフセットにより位相差が発生する。従って、前記２つのＯＦＤＭシンボルの位相差を通じてチャネルを推定することができる。
【００５９】
衝突検出部８３０は、多重ピコネットチャネル環境において伝送されたＯＦＤＭシンボルの衝突有無を判断する。衝突有無を判断するアルゴリズムは、各種の変形したものを作ることができる。本発明では、受信シンボルの電力を測定することにより、衝突有無を判断する。衝突有無を判断する過程は、図９を参照して詳細に後述する。
【００６０】
ＯＦＤＭ復調部８４０は、送信端と同一のスペックで入力される時間領域のＯＦＤＭシンボルをＦＦＴ変換（Ｆａｓｔ  Ｆｏｕｒｉｅｒ  Ｔｒａｎｓｆｏｒｍ）して周波数領域のデータで出力する。
【００６１】
位相補償部８５０は、ＲＥＦＥＲＥＮＣＥ−ＢＡＳＥＤ技法及びＤＥＣＩＳＩＯＮ−ＤＩＲＥＣＴＥＤ技法を混用した位相補償技法を用いて受信信号の位相を補償する。
【００６２】
等化部８６０は、一般的にＯＦＤＭ伝送特性によりＯＮＥ−ＴＡＰ等化器を用いて受信信号の多重経路を除去する。
【００６３】
データ検出部８７０は、衝突検出部８３０の衝突有無判断に基づいて受信処理するデータのみを検出する。好ましくは、２回繰返され受信される同一のＯＦＤＭシンボルに対して衝突が発生しなかったＯＦＤＭシンボルに対応するデータを検出する。
【００６４】
デインタリーバ８８０は、データ検出部８７０より検出されたデータを送信端においてインタリービング方式の逆順でデインタリービングを行う。
【００６５】
図９は、本発明によりＴＦＩ−ＯＦＤＭ受信システムの衝突検出部８３０より、多重ピコネット環境において、衝突が発生しなかったＯＦＤＭシンボルを選択的に検出する方法に対するフローチャートである。以下においては、伝送チャネル｛ｆ１、ｆ２、ｆ３、ｆ１、ｆ２、ｆ３｝に伝送されるＯＦＤＭシンボルの衝突有無を検出する場合を例として説明する。
【００６６】
順次周波数帯域ｆ１、ｆ２において伝送される第１ＯＦＤＭシンボルを受信する。
【００６７】
衝突検出部８３０は、現在周波数帯域ｆ１において受信される第１ＯＦＤＭシンボルの電力Ｒ１（以下では、‘第１電力’という）を測定し、次の周波数帯域ｆ２において受信される第１ＯＦＤＭシンボルの電力Ｒ２（以下では、‘第２電力’という）を測定する。そして、周波数帯域ｆ１において受信された以前ＯＦＤＭシンボルの平均電力ＴＨ１（以下では、‘第１平均電力’という）を算出し、周波数帯域ｆ２において受信された以前ＯＦＤＭシンボルの平均電力ＴＨ２（以下では、‘第２平均電力’という）を算出する（Ｓ９１１）。
【００６８】
第１電力Ｒ１と第１平均電力ＴＨ１を比較し、第２電力Ｒ２と第２平均電力ＴＨ２をそれぞれ比較する（Ｓ９１３）。第１電力Ｒ１及び第２電力Ｒ２が第１平均電力ＴＨ１にマージンｍ１を加えた値及び第２平均電力ＴＨ２にマージンｍ２を加えた値より小さければ、周波数帯域ｆ１において伝送された第１ＯＦＤＭシンボルと周波数帯域ｆ２において伝送された第１ＯＦＤＭシンボルに衝突は発生しなかったものと判断する（Ｓ９１５）。従って、データ検出部８７０は、周波数帯域ｆ１、ｆ２において伝送された２つの第１ＯＦＤＭシンボルを全て利用してデータを検出する（Ｓ９１７）。
【００６９】
一方、第１電力Ｒ１が第１平均電力ＴＨ１にマージンｍ１を加えた値より大きく、第２電力Ｒ２が第２平均電力ＴＨ２にマージンｍ２を加えた値より小さければ（Ｓ９２１）、周波数帯域ｆ１において伝送された第１ＯＦＤＭシンボル（Ｆ１）に衝突が発生したものと判断する（Ｓ９２３）。従って、データ検出部８７０は、周波数帯域ｆ２において伝送された第１ＯＦＤＭシンボル（Ｆ２）を利用してデータを検出する（Ｓ９２５）。
【００７０】
一方、第１電力Ｒ１が第１平均電力ＴＨ１にマージンｍ１を加えた値より小さく、第２電力Ｒ２が第２平均電力ＴＨ２にマージンｍ２を加えた値より大きければ（Ｓ９３１）、周波数帯域ｆ２において伝送された第１ＯＦＤＭシンボル（Ｆ２）に衝突が発生したものと判断する（Ｓ９３３）。従って、データ検出部８７０は、周波数帯域ｆ１において伝送された第１ＯＦＤＭシンボル（Ｆ１）を利用してデータを検出する（Ｓ９３５）。
【００７１】
一方、第１電力Ｒ１及び第２電力Ｒ２が第１平均電力ＴＨ１にマージンｍ１を加えた値及び第２平均電力ＴＨ２にマージンｍ２を加えた値より大きければ（Ｓ９４１）、周波数帯域ｆ１において伝送された第１ＯＦＤＭシンボルと周波数帯域ｆ２において伝送された第１ＯＦＤＭシンボル全てに衝突が発生したものと判断する。これによって、データ検出部８７０は、周波数帯域ｆ１、ｆ２において伝送された２つの第１ＯＦＤＭシンボルを全て利用してデータを検出するか、または２つの第１ＯＦＤＭシンボルを全て利用しないとして処理する（Ｓ９４２）。
【００７２】
例えば、図３Ａに示されたように、インタリーバ３３０がコンボリューショナルエンコーダ３２０でシンボルインタリービング及びトーンインタリービングを全て行った場合は、衝突が発生した２つのＯＦＤＭシンボルを全て利用してデータを検出する。一方、図３Ｂに示されたように、インタリーバ３３１がコンボリューショナルエンコーダ３２０でトーンインタリービングのみを行った場合は、衝突が発生した２つのＯＦＤＭシンボルを全て利用しなくても、図６Ｂ及び図６Ｃに示されたように、１／２ｒａｔｅのコンボリューショナルデコーディングをしてエラーの訂正が可能である。
【００７３】
以上のような衝突有無の判断過程は、順次受信される同一のＯＦＤＭシンボルについて行われる。
【００７４】
以上では、本発明の望ましい実施例について説明したが、本発明は、前述した特定の実施例に限らず、請求の範囲で請求する本発明の要旨を逸脱しない限りにおいて、当該発明の属する技術分野において通常の知識を持つ者ならば誰でも多様な変形実施が可能なことは勿論、そのような変更は請求の範囲の記載の範囲内にあることになる。
【図面の簡単な説明】
【００７５】
【図１Ａ】従来のＴＦＩ−ＯＦＤＭ伝送システムより伝送されるデータの周波数領域上の信号のスペクトルである。
【図１Ｂ】従来のＴＦＩ−ＯＦＤＭ伝送システムより伝送されるデータの周波数領域上の信号のスペクトルである。
【図２】従来のＴＦＩ−ＯＦＤＭ伝送システムの周波数領域において拡張された伝送方式を示した図である。
【図３Ａ】本発明による実施例であって、ＴＦＩ−ＯＦＤＭシステムの機能を示すブロック図である。
【図３Ｂ】本発明による実施例であって、ＴＦＩ−ＯＦＤＭ伝送システムの機能を示すブロック図である。
【図４】本発明による伝送方式に対する概念図である。
【図５】本発明による伝送方式により多重ピコネット環境でシンボル間に衝突（Ｃｏｌｌｉｓｉｏｎ）が発生する場合を示した概念図である。
【図６Ａ】本発明による伝送方式を説明するための図である。
【図６Ｂ】本発明による伝送方式を説明するための図である。
【図６Ｃ】本発明による伝送方式を説明するための図である。
【図７Ａ】本発明による伝送方式をそれぞれの伝送チャネルパタンに対して適用した例を示す図である。
【図７Ｂ】本発明による伝送方式をそれぞれの伝送チャネルパタンに対して適用した例を示す図である。
【図７Ｃ】本発明による伝送方式をそれぞれの伝送チャネルパタンに対して適用した例を示す図である。
【図７Ｄ】本発明による伝送方式をそれぞれの伝送チャネルパタンに対して適用した例を示す図である。
【図８】本発明による伝送方式に対応するＴＦＩ−ＯＦＤＭ受信システムに対する概略的なブロック図である。
【図９】本発明によるＴＦＩ−ＯＦＤＭ受信システムにより多重ピコネット環境で、衝突が発生しなかったＯＦＤＭシンボルを選択的に検出する方法を示すフローチャートである。
【符号の説明】
【００７６】
３２１      コンボリューショナルエンコーダ
３３１      インタリーバ
３４１      ＱＰＳＫ変調部
３５１      ＯＦＤＭ変調部
３８１      バッファ
３９１      周波数発生部
【図１Ａ】
2005039828.tif 000003
【図１Ｂ】
2005039828.tif 000004
【図２】
2005039828.tif 000005
【図３Ａ】
2005039828.tif 000006
【図３Ｂ】
2005039828.tif 000007
【図４】
2005039828.tif 000008
【図５】
2005039828.tif 000009
【図６Ａ】
2005039828.tif 000010
【図６Ｂ】
2005039828.tif 000011
【図６Ｃ】
2005039828.tif 000012
【図７Ａ】
2005039828.tif 000013
【図７Ｂ】
2005039828.tif 000014
【図７Ｃ】
2005039828.tif 000015
【図７Ｄ】
2005039828.tif 000016
【図８】
2005039828.tif 000017
【図９】
2005039828.tif 000018